(57)【要約】【課題】埃または虫等の侵入を防ぎながら簡単に換気が行える室内開口具を提供すること。【解決手段】室内と室外を隔てる壁５０の貫通孔５１に挿入されるスリーブ部材６０の室内側の端部６１に着脱可能な筒状形状を有する室内換気具１であって、スリーブ部材６０の端部６１に着脱可能な連結部１１０と、フィルター２００とを備え、連結部１１０を介してスリーブ部材６０に接続されることで、スリーブ部材６０の内部空間と連通する、ことを特徴とする室内換気具１である。【選択図】図１
2018159485.tif 000002
【特許請求の範囲】
【請求項１】
室内と室外を隔てる壁の貫通孔に挿入される第１筒状部材の室内側の端部に着脱可能な筒状形状を有する室内開口具であって、
前記第１筒状部材の前記端部に着脱可能な第１接続部と、
埃又は虫の侵入を防ぐフィルター部材と、を備え、
前記第１接続部を介して前記第１筒状部材に接続されることで、前記第１筒状部材の内部空間と連通する、ことを特徴とする室内開口具。
【請求項２】
前記第１接続部の反対側の端部に第２接続部が形成されており、
更に、前記第２接続部に着脱可能な第２筒状部材を備え、
前記第２筒状部材は、内部に送風ファンと前記送風ファンを駆動する駆動モータとを有している、ことを特徴とする請求項１に記載の室内開口具。
【請求項３】
前記第２筒状部材の外周部には、前記駆動モータの回転方向を正方向と逆方向の何れかに切り替える切替スイッチを備え、
前記切替スイッチの切り替えにより、前記駆動モータが前記何れか一方の方向に回転すると前記室外から前記室内に向けて外気が取り込まれ、前記駆動モータが前記何れか他方の方向に回転すると前記室内から前記室外に向けて内気が排気される、ことを特徴とする請求項２に記載の室内開口具。
【請求項４】
前記駆動モータを自動で入り切りすることが可能なタイマースイッチを備えた、ことを特徴とする請求項２又は３に記載の室内開口具。
【請求項５】
室内と室外を隔てる壁の貫通孔に挿入される第１筒状部材の室内側の端部に着脱可能な筒状形状を有する室内開口具であって、
前記第１筒状部材の前記端部に着脱可能な第１接続部を有する基部と、
前記第１接続部の反対側の、前記基部の端部に形成された第２接続部に着脱可能に設けられた第２筒状部材と、
前記基部又は前記第２筒状部材に設けられた埃又は虫の侵入を防ぐフィルター部材と、を備え、
前記基部が前記第１接続部を介して前記第１筒状部材に接続されることで、前記第１筒状部材の内部空間と連通し、
前記第２筒状部材は、内部に送風ファンと前記送風ファンを駆動する駆動モータとを有している、ことを特徴とする室内開口具。
【発明の詳細な説明】
【技術分野】
【０００１】
本発明は、室内の吸気又は排気が可能な室内開口具に関する。
【背景技術】
【０００２】
従来より、エアコンの室内機と室外機を連結する配管部材等を通すための、室内外を隔てる壁の貫通孔に挿入された円筒状のスリーブ部材と、そのスリーブ部材に着脱可能な蓋部材とが知られている。このスリーブ部材は、少なくとも室内側の端部の内周面部に形成された雌ねじ部を有しており、エアコンが取り付けられていない場合は、そのスリーブ部材の雌ねじ部に嵌合可能な雄ねじ部を有する蓋部材が装着されることにより、スリーブ部材の室内側の端部の孔を塞ぐ構成になっている。
【発明の概要】
【発明が解決しようとする課題】
【０００３】
しかしながら、従来のこの様なスリーブ部材と蓋部材の構成において、エアコンが取り付けられていない状況下で蓋部材を取り外すことで換気をしようとすると、室外から室内に埃または虫等が入るという問題がある。
【０００４】
本発明は、上記従来の部材のこの様な課題に鑑みて、埃または虫等の侵入を防ぎながら簡単に換気が行える室内開口具を提供することを目的とする。
【課題を解決するための手段】
【０００５】
第１の本発明は、
室内と室外を隔てる壁の貫通孔に挿入される第１筒状部材の室内側の端部に着脱可能な筒状形状を有する室内開口具であって、
前記第１筒状部材の前記端部に着脱可能な第１接続部と、
埃又は虫の侵入を防ぐフィルター部材と、を備え、
前記第１接続部を介して前記第１筒状部材に接続されることで、前記第１筒状部材の内部空間と連通する、ことを特徴とする室内開口具である。
【０００６】
また、第２の本発明は、
前記第１接続部の反対側の端部に第２接続部が形成されており、
更に、前記第２接続部に着脱可能な第２筒状部材を備え、
前記第２筒状部材は、内部に送風ファンと前記送風ファンを駆動する駆動モータとを有している、ことを特徴とする上記第１の本発明の室内開口具である。
【０００７】
また、第３の本発明は、
前記第２筒状部材の外周部には、前記駆動モータの回転方向を正方向と逆方向の何れかに切り替える切替スイッチを備え、
前記切替スイッチの切り替えにより、前記駆動モータが前記何れか一方の方向に回転すると前記室外から前記室内に向けて外気が取り込まれ、前記駆動モータが前記何れか他方の方向に回転すると前記室内から前記室外に向けて内気が排気される、ことを特徴とする上記第２の本発明の室内開口具である。
【０００８】
また、第４の本発明は、
前記駆動モータを自動で入り切りすることが可能なタイマースイッチを備えた、ことを特徴とする上記第２又は第３の本発明の室内開口具である。
【０００９】
また、第５の本発明は、
室内と室外を隔てる壁の貫通孔に挿入される第１筒状部材の室内側の端部に着脱可能な筒状形状を有する室内開口具であって、
前記第１筒状部材の前記端部に着脱可能な第１接続部を有する基部と、
前記第１接続部の反対側の、前記基部の端部に形成された第２接続部に着脱可能に設けられた第２筒状部材と、
前記基部又は前記第２筒状部材に設けられた埃又は虫の侵入を防ぐフィルター部材と、を備え、
前記基部が前記第１接続部を介して前記第１筒状部材に接続されることで、前記第１筒状部材の内部空間と連通し、
前記第２筒状部材は、内部に送風ファンと前記送風ファンを駆動する駆動モータとを有している、ことを特徴とする室内開口具である。
【発明の効果】
【００１０】
本発明によれば、埃または虫等の侵入を防ぎながら簡単に換気が行える室内開口具を提供することが出来るという効果を発揮する。
【図面の簡単な説明】
【００１１】
【図１】実施の形態１の室内換気具の概略構成を示す概略斜視図
【図２】（ａ）：図1に示す室内換気具の換気具本体を矢印Ａから見たときの概略背面図、（ｂ）：換気具本体に装着されるフィルターの概略平面図、（ｃ）：フィルターを固定するためのフィルター固定リングの概略平面図
【図３】実施の形態２のファン付き室内換気具の概略構成を示す概略斜視図
【図４】第２室内側突出部の室内側の端部とファン内蔵筒状部材のケーシングの端部との間に蛇腹構造の中間連結部材を取り付けた場合の概略斜視図
【発明を実施するための形態】
【００１２】
以下に、本発明の室内開口具の実施の形態としての室内換気具、及びファン付き室内換気具について、図面を用いて説明する。
【００１３】
（実施の形態１）
本実施の形態では、図１、図２を参照しながら、本発明の室内開口具の一例としての室内換気具１について説明する。
【００１４】
図１は、本実施の形態の室内換気具１の概略構成を示す概略斜視図である。
【００１５】
また、図２（ａ）は、図1に示す室内換気具１の換気具本体１００を矢印Ａから見たときの概略背面図であり、図２（ｂ）は、換気具本体１００に装着されるフィルター２００の概略平面図であり、図２（ｃ）は、フィルター２００を固定するためのフィルター固定リング３００の概略平面図である。
【００１６】
本実施の形態の室内換気具１は、図１〜図２（ｃ）に示す様に、略円筒形状を成した換気具本体１００と、換気具本体１００の内部に着脱可能な平面視で円形のフィルター２００と、そのフィルター２００を換気具本体１００の内部に固定するための平面視で略円形のフィルター固定リング３００とを備えた構成である。
【００１７】
一方、本実施の形態では、図１に示す様に、室内と室外を隔てる壁５０に形成された貫通孔５１には、略円筒状のスリーブ部材６０が予め挿入配置されており、エアコンの配管等は挿入されていないものとする。また、スリーブ部材６０は、少なくとも室内側の端部６１の孔の内周面部に形成された雌ねじ部６２を有しており、その端部６１の雌ねじ部６２に嵌合可能な雄ねじ部を有する蓋部材（図示省略）が装着されることにより、スリーブ部材６０の室内側の端部６１の孔を塞ぐ構成になっているが、本実施の形態では、図１に示す様に、その蓋部材を取り外したものとして説明する。
【００１８】
また、上述した換気具本体１００は、図１に示す様に、スリーブ部材６０の端部６１に形成された雌ねじ部６２と嵌合可能な雄ねじ部１１１を外周面に有する円筒状の連結部１１０と、その連結部１１０の内部の孔と連通した孔を有する円筒状の室内側突出部１２０と、使用者が手で換気具本体１００を回しながらスリーブ部材６０の端部６１の孔に連結部１１０の雄ねじ部１１１を嵌合挿入する際、連結部１１０と室内側突出部１２０との間に配置された鍔状部分が端部６１の表面と当接することで連結部１１０をそれ以上挿入させない様にするストッパー部１３０とを備えている。
【００１９】
更に、図２（ａ）に示す様に、室内側突出部１２０の室内側通気口１２１の孔径φＤ１は、連結部１１０の内部の孔径φＤ２より小さくなる様に構成されており、連通している双方の孔の孔径が変化する部位に段差部１０１（図２（ａ）参照）が設けられている。
【００２０】
フィルター２００は、この段差部１０１とフィルター固定リング３００を利用して連結部１１０の内部に着脱可能に装着される構成である。また、フィルター固定リング３００は、断面丸形の線材で構成された円形状のリング本体部３１０と、そのリング本体部３１０の一部分に固定された、指先を引っ掛けることが出来る引っ掛け部３２０とで構成されており、リング本体部３１０の外周縁部には平面視で小さな略半円形状の３つの突起部３１１が等間隔で配置されている。
【００２１】
ここで、フィルター２００の外径は、連結部１１０の内部の孔径φＤ２より若干小さく、また、フィルター固定リング３００の円形状のリング本体部３１０の外径は、フィルター２００の外径と概ね同じに設定されている。また、リング本体部３１０の３つの小さな突起部３１１の高さを含めた場合のリング本体部３１０の外径を最大外径とすると、その最大外径は、連結部１１０の内部の孔径φＤ２より若干大きく設定されている。
【００２２】
これにより、フィルター２００を連結部１１０の内部に挿入しフィルター２００の外周部が段差部１０１に当接する様に配置した後、フィルター固定リング３００を連結部１１０の内部に挿入する際には、突起部３１１の先端が連結部１１０の内壁面１１２に当たるので、一定以上の押圧力で押し込む必要があり、また、フィルター固定リング３００を取り出すためには、引っ掛け部３２０に指先を引っ掛けて一定以上の力で引っ張り出す必要がある。
【００２３】
よって、フィルター２００は、フィルター固定リング３００により、連結部１１０の内部に着脱可能で、且つ装着した場合には確実に固定される。
【００２４】
なお、本実施の形態の連結部１１０は、本発明の第１接続部の一例にあたる。また、本実施の形態のフィルター２００は、本発明のフィルター部材の一例にあたる。
【００２５】
次に、上述した室内換気具１の取り付け方法について説明する。
【００２６】
室内外を隔てる壁５０の貫通孔５１に予め挿入配置されたスリーブ部材６０に、エアコンの配管等が挿入されていない場合、蓋部材（図示省略）を取り外した上で、使用者が手で換気具本体１００を回しながらスリーブ部材６０の端部６１の孔に連結部１１０の雄ねじ部１１１を嵌合挿入することにより、室内換気具１をスリーブ部材６０に簡単に取り付けることが出来る。
【００２７】
これにより、窓を開けなくても、室外からの埃や虫等の侵入を防ぎながら、室内側通気口１２１を介して自然換気が行えて、リフォーム工事の必要も無い。また、既設の換気扇（図示省略）をＯＮすることにより、室内側通気口１２１を介して外気を効果的に室内に取り入れることが出来る。
【００２８】
よって、窓を開けっぱなしにする必要が無いので、防犯上の問題も生じない。
【００２９】
また、夏場の夜等において、エアコンは冷え過ぎるので使用したくないし、扇風機の風を長時間体に当てるのは避けたいといった場合や、長期間の外出の際に、適度に部屋の換気を行いたいという場合にも、本実施の形態の室内換気具１であれば、スリーブ部材６０から蓋部材（図示省略）を取り外しただけで換気することに比べて、室外からの埃や虫等の侵入を防ぎながら、室内側通気口１２１を介して自然換気が行える。
【００３０】
また、フィルター２００は着脱可能であるので、汚れた場合には、フィルター２００を容易に取り外し、清掃することが出来るし、また、破れた場合には、容易に交換することも出来る。
【００３１】
（実施の形態２）
本実施の形態では、主として図３を参照しながら、本発明の室内開口具の一例としてのファン付き室内換気具２について説明する。
【００３２】
図３は、本実施の形態のファン付き室内換気具２の概略構成を示す概略斜視図である。
【００３３】
なお、上記実施の形態１で説明した構成と同じ構成には、同じ符号を付し、その説明を省略する。
【００３４】
本実施の形態のファン付き室内換気具２は、図３に示す様に、上記実施の形態１で説明した換気具本体１００の端部を変更した第２換気具本体１１００と、第２換気具本体１１００の内部に着脱可能なフィルター２００と、そのフィルター２００を第２換気具本体１１００の内部に固定するためのフィルター固定リング３００と、第２換気具本体１１００の端部に着脱可能に構成されたファン内蔵筒状部材４００とを備えた構成である。
【００３５】
第２換気具本体１１００と換気具本体１００との相違点は、次の通りである。
【００３６】
即ち、第２換気具本体１１００では、図１で説明した換気具本体１００の室内側突出部１２０の室内側の端部構造と異なり、図３に示す様に、第２室内側突出部１１２０の室内側の端部の第２連結部１１２１に雄ねじ部（図示省略）を形成した点である。なお、第２室内側突出部１１２０は、上述した連結部１１０の内部の孔と連通した孔を有する円筒状の部材である点は、上記実施の形態１の室内側突出部１２０と同じである。
【００３７】
また、ファン内蔵筒状部材４００は、図３に示す様に、内部に送風ファン４１１と送風ファン４１１を駆動する駆動モータ４１２と駆動モータ４１２を内壁部に固定するモータ固定アングル４１３とを収容した円筒状のケーシング４１０と、ケーシング４１０の外周部に固定された切替スイッチ４２０と、タイマースイッチ４４０と、制御回路（図示省略）と、制御回路や駆動モータ４１２に電源を供給する電源コード４３０とを備えている。
【００３８】
更に、ケーシング４１０は、図３に示す様に、図中の左側の端部４１０ａの内周面部には、第２室内側突出部１１２０の室内側の端部の第２連結部１１２１に形成された雄ねじ部（図示省略）と嵌合可能な雌ねじ部（図示省略）が形成されており、且つ、図中の右側の端部４１０ｂの室内側開口部４１４には、指等が挿入されるのを防止するためのファンガード４１５が固定されている。
【００３９】
また、駆動モータ４１２は、正方向と逆方向の両方向の回転が可能なモータであり、切替スイッチ４２０は、駆動モータ４１２への電源供給を行わないＯＦＦ位置と、駆動モータ４１２に対して正方向への回転を行わせる正回転位置と、逆方向への回転を行わせる逆回転位置とに切り替え可能な構成である。
【００４０】
また、切替スイッチ４２０の近傍には駆動モータ４１２を自動で入り切りすることが可能なタイマースイッチ４４０と制御回路（図示省略）を備えており、断続運転を行う断続運転モードと、自動正逆切替モードと、自動切りモードと、自動入りモードとの切替が可能である。
【００４１】
なお、本実施の形態の第２換気具本体１１００は、本発明の基部の一例にあたる。また、本実施の形態の第２室内側突出部１１２０の第２連結部１１２１は、本発明の第２接続部の一例にあたる。また、本実施の形態のフィルター２００は、本発明のフィルター部材の一例にあたる。また、本実施の形態のファン内蔵筒状部材４００は、本発明の第２筒状部材の一例にあたる。また、本実施の形態の送風ファン４１１は、本発明の送風ファンの一例にあたり、本実施の形態の駆動モータ４１２は、本発明の駆動モータの一例にあたる。また、本実施の形態の切替スイッチ４２０は、本発明の切替スイッチの一例にあたり、本実施の形態のタイマースイッチ４４０は、本発明のタイマースイッチの一例にあたる。
【００４２】
次に、上述したファン付き室内換気具２の取り付け方法、及びその動作について、図３を用いて説明する。
【００４３】
まず、フィルター２００が装着された第２換気具本体１１００を、上記実施の形態１で説明した方法と同様に取り付ける。
【００４４】
即ち、図３に示す様に、室内外を隔てる壁５０の貫通孔５１に予め挿入配置されたスリーブ部材６０に、エアコンの配管等が挿入されていない場合、蓋部材（図示省略）を取り外した上で、使用者が手で第２換気具本体１１００を回しながらスリーブ部材６０の端部６１の孔に連結部１１０の雄ねじ部１１１を嵌合挿入することにより、第２換気具本体１１００をスリーブ部材６０に簡単に取り付けることが出来る。
【００４５】
更に、ファン内蔵筒状部材４００を第２換気具本体１１００に連結する。
【００４６】
即ち、図３に示す様に、第２室内側突出部１１２０の室内側の端部の第２連結部１１２１に形成された雄ねじ部（図示省略）に対して、ファン内蔵筒状部材４００のケーシング４１０の端部４１０ａの内周面部に形成された雌ねじ部（図示省略）を嵌合させて、使用者が手でファン内蔵筒状部材４００を回すことにより、簡単に且つ確実に連結させることが出来る。
【００４７】
これにより、スリーブ部材６０の内部空間とケーシング４１０の右側の端部４１０ｂの室内側開口部４１４とが連通する。
【００４８】
最後に、電源コード４３０の先端のプラグをコンセント（図示省略）に差し込む。
【００４９】
なお、本実施の形態２のファン付き室内換気具２は、ファン内蔵筒状部材４００を第２換気具本体１１００に連結しないで、第２換気具本体１１００をスリーブ部材６０に取り付けた状態のままでも使用することが出来ることは言うまでもない。
【００５０】
この様にして取り付けられたファン付き室内換気具２は、次の様な動作を行うことが出来る。
【００５１】
即ち、切替スイッチ４２０をＯＦＦ位置に切り替えた場合は、駆動モータ４１２は回転しないので、送風ファン４１１による換気は行われないが、スリーブ部材６０の内部空間とケーシング４１０の右側の端部４１０ｂの室内側開口部４１４とが連通しているので緩やかな換気（自然換気）が行われる。
【００５２】
また、切替スイッチ４２０を正回転位置に切り替えた場合は、駆動モータ４１２が正回転するので、送風ファン４１１の正回転動作により、室外から室内に向けて気流は発生し、外気が取り込まれる（図３の矢印Ｂ参照）。また、切替スイッチ４２０を逆回転位置に切り替えた場合は、駆動モータ４１２が逆回転するので、送風ファン４１１の逆回転動作により、室内から室外に向けて気流が発生し、内気が排気される（図３の矢印Ｃ参照）。
【００５３】
また、切替スイッチ４２０を正回転位置又は逆回転位置にセットした状態で、タイマースイッチ４４０を断続運転モードに設定した場合、制御回路の働きにより、駆動モータ４１２を予め定められた一定時間（例えば、１５分）だけ駆動し、その後、一定時間（例えば、１５分）だけ駆動を停止させるというＯＮとＯＦＦの運転を交互に繰り返すことが出来る。
【００５４】
また、切替スイッチ４２０を正回転位置又は逆回転位置にセットした状態で、タイマースイッチ４４０を自動正逆切替モードに設定した場合、制御回路の働きにより、駆動モータ４１２を予め定められた一定時間（例えば、１５分）だけ正回転（又は逆回転）で駆動し、その後、一定時間（例えば、１５分）だけ逆回転（又は正回転）で駆動させるという正回転と逆回転（又は逆回転と正回転）を交互に繰り返すことが出来る。これにより、室内の換気がより確実に行える、
また、切替スイッチ４２０を正回転位置又は逆回転位置にセットした状態で、タイマースイッチ４４０を自動切りモードに設定した場合、制御回路の働きにより、駆動モータ４１２を予め定められた一定時間（例えば、１時間）だけ駆動し、その後、自動的に停止させることが出来る。
【００５５】
また、タイマースイッチ４４０を自動入りモードに設定した後、切替スイッチ４２０を正回転位置又は逆回転位置にセットした場合、制御回路の働きにより、タイマースイッチ４４０で選択された設定時間が経過した後、駆動モータ４１２を自動的に駆動させることが出来る。
【００５６】
なお、上記タイマーの時間設定は、予め定められている場合に限らず例えば、複数の設定時間の中から使用者が選択することが出来る構成でも良いし、或いは、使用者が任意に設定出来る構成であっても良い。
【００５７】
本実施の形態２のファン付き室内換気具２によれば、上記実施の形態１で説明した効果に加えて、送風ファン４１１の駆動により積極的な換気が簡単に行えて、リフォーム工事の必要も無い。また、切替スイッチ４２０により、送風ファン４１１の回転方向を自在に制御することが出来るので、換気を効果的に行うことが出来る。
【００５８】
また、タイマー機能により、状況に応じたきめ細かな換気が行える。
【００５９】
なお、上記実施の形態では、フィルター２００を装着した場合について説明したが、これに限らず例えば、フィルター２００に代えて、本発明のフィルター部材の一例としての防虫ネット（図示省略）を装着した構成であっても良いし、その両方を装着した構成であっても良い。
【００６０】
また、上記実施の形態では、フィルター２００とフィルター固定リング３００とを別部材で構成した場合について説明したが、これに限らず例えば、フィルターとフィルター固定部材を一体成型等により構成しても良い。
【００６１】
また、上記実施の形態では、フィルター２００を連結部１１０の内部に装着する場合について説明したが、これに限らず例えば、室内側突出部１２０の内部、又は室内側通気口１２１に装着する構成としても良い。
【００６２】
また、上記実施の形態２では、フィルター２００を第２換気具本体１１００の連結部１１０の内部に装着する場合について説明したが、これに限らず例えば、第２室内側突出部１１２０の内部、又は室内側通気口１２１に装着する構成としても良いし、若しくは、ファン内蔵筒状部材４００のケーシング４１０の内部、ケーシング４１０の両端部の内の第２連結部１１２１側の端部４１０ａ、又はケーシング４１０の室内側開口部４１４（図３参照）に装着する構成としても良い。
【００６３】
また、上記実施の形態では、室内側突出部１２０の室内側通気口１２１の孔径φＤ１は、連結部１１０の内部の孔径φＤ２より小さくなる様に構成されている場合について説明したが、これに限らず例えば、φＤ１＝φＤ２であっても良いし、或いは、φＤ１＞φＤ２であっても良い。
【００６４】
また、上記実施の形態では、換気具本体１００に室内側突出部１２０を備えた構成について説明したが、これに限らず例えば、換気具本体１００は、室内側突出部１２０を備えず、連結部１１０とストッパー部１３０とを備えた構成であっても良い。
【００６５】
また、上記実施の形態２では、第２換気具本体１１００に第２室内側突出部１１２０を備えた構成について説明したが、これに限らず例えば、第２換気具本体１１００は、第２室内側突出部１１２０を備えず、連結部１１０とストッパー部１３０とを備えた構成であっても良い。この構成の場合、図３では第２室内側突出部１１２０に設けられている第２連結部１１２１に形成された雄ねじ部（図示省略）に代えて、例えば、連結部１１０の両端部の内のストッパー部１３０側の端部の内周面部に雌ねじ部を形成し、その雌ねじ部に嵌合する雄ねじ部をケーシング４１０の端部４１０ａに形成する構成としても良いし、或いは、連結部１１０の両端部の内のストッパー部１３０側の端部の内周面部に対して、ケーシング４１０の端部４１０ａの外周面部を嵌め込む構成としても良い。
【００６６】
また、上記実施の形態では、連結部１１０の外周面に雄ねじ部１１１を形成し、スリーブ部材６０の雌ねじ部６２と噛み合わせる構成について説明したが、これに限らず例えば、連結部１１０の外周面にねじ部を形成しない構成としても良い。これにより、連結部をスリーブ部材６０の端部６１の内部空間に差し込むことで連結することが出来る。
【００６７】
また、上記実施の形態では、第２室内側突出部１１２０の室内側の端部の第２連結部１１２１に対して、ファン内蔵筒状部材４００のケーシング４１０の端部４１０ａを連結する際に、双方の端部に形成されたねじ部を嵌合させて連結する構成について説明したが、これに限らず例えば、双方の端部にねじ部を形成せずに、第２連結部１１２１に対して、ファン内蔵筒状部材４００のケーシング４１０の端部４１０ａを、その筒形状の中心軸方向に沿って差し込む構成であっても良い。更に、差し込み部の双方の端部の重なり部分に、抜け防止用のピンを中心軸方向に直交する様に挿入する構成としても良い。
【００６８】
また、上記実施の形態では、第２室内側突出部１１２０の室内側の端部の第２連結部１１２１に対して、ファン内蔵筒状部材４００のケーシング４１０の端部４１０ａを直接連結する構成について説明したが、これに限らず例えば、双方の連結部の間に蛇腹構造の中間連結部材５００を着脱可能に設けた構成としても良い（図４参照）。これにより、ファン内蔵筒状部材４００を上下左右の任意の方向（図４の矢印Ｄ、矢印Ｅ参照）に向けることが出来るので、使用性が向上する。図４は、第２室内側突出部１１２０の室内側の端部とファン内蔵筒状部材４００のケーシング４１０の端部４１０ａとの間に蛇腹構造の中間連結部材５００を取り付けた場合の概略斜視図である。
【００６９】
また、図４に示した蛇腹構造の中間連結部材５００は、別部材ではなく、第２室内側突出部１１２０の室内側の端部に一体的に固定されていても良いし、或いは、ファン内蔵筒状部材４００のケーシング４１０の端部４１０ａに一体的に固定されていても良い。
【００７０】
また、図４に示した蛇腹構造の中間連結部材５００は、上記実施の形態１で説明した換気具本体１００の室内側突出部１２０の室内側の端部に一体的に固定されていても良いし、或いは、着脱可能に設けられていても良い。
【００７１】
また、上記実施の形態では、ケーシング４１０の端部４１０ｂにファンガード４１５が固定されている構成について説明したが、これに限らず例えば、ケーシング４１０の端部４１０ｂの内周面部に形成された溝部にファンガード４１５が回動可能に嵌め込まれており、且つ、その溝部の近傍に固定されたモータ（図示省略）の回転駆動によりファンガード４１５が回転することで、室内側開口部４１４から室内側に吹き出されてくる風の向きが変化する構成としても良い。
【００７２】
また、上記実施の形態では、駆動モータ４１２が正逆回転可能な構成について説明したが、これに限らず例えば、正回転と逆回転の内、何れか一方のみの回転を行う構成であっても良い。この構成の場合、上述した切替スイッチ４２０に代えて電源を入り切りするＯＮ／ＯＦＦスイッチであれば良く、また、上述した各種モードを有するタイマースイッチ４４０に代えて、自動入りモードと自動切モードの２つのモードを有する入り切りタイマーであれば良い。
【００７３】
また、上記実施の形態では、タイマースイッチ４４０を設けた場合について説明したが、これに限らず例えば、タイマースイッチ４４０が設けられていない構成であっても良い。
【００７４】
また、上記実施の形態では、スリーブ部材６０が壁５０の貫通孔５１に予め挿入配置されている場合について説明したが、これに限らず例えば、スリーブ部材が既に挿入配置されていない場合は、従来のスリーブ部材等（例えば、クーラーキャップと称する部材）を入手して壁５０の貫通孔に挿入してから、上記実施の形態の室内換気具１又は、ファン付き室内換気具２を取り付けても良い。
【００７５】
また、室内側突出部１２０の室内側通気口１２１（図１参照）、又は、第２室内側突出部１１２０の室内側通気口１２１（図３参照）に対して、スリーブ部材６０の室内側開口部に装着されていた蓋部材（図示省略）を用いて閉塞出来る構成としても良いし、或いは、専用の蓋部材で閉塞出来る構成としても良い。
【産業上の利用可能性】
【００７６】
本発明の室内開口具によれば、リフォーム工事無しで、埃または虫等の侵入を防ぎながら簡単に換気が行えるという効果を発揮し、例えば、壁に挿入されたスリーブ部材等に装着して用いる室内開口具として有用である。
【符号の説明】
【００７７】
１    室内換気具
２    ファン付き室内換気具
５０  壁
５１  貫通孔
６０  スリーブ部材
６２  雌ねじ部
１００  換気具本体
１１０  連結部
１２０  室内側突出部
１２１  室内側通気口
１３０  ストッパー部
２００  フィルター
３００  フィルター固定リング
３１０  リング本体部
３２０  引っ掛け部
４００  ファン内蔵筒状部材
４１０  ケーシング
４１１  送風ファン
４１２  駆動モータ
４１３  モータ固定アングル
４１４  室内側開口部
４２０  切替スイッチ
４３０  電源コード
４４０  タイマースイッチ
５００  中間連結部材
１１００  第２換気具本体
１１２０  第２室内側突出部
１１２１  第２連結部
【図１】
2018159485.tif 000003
【図２】
2018159485.tif 000004
【図３】
2018159485.tif 000005
【図４】
2018159485.tif 000006